(57)【要約】【課題】  調光しても演色性や色温度が変化することなく電力のロスを低減でき、部品の信頼性の向上を図ることができるＬＥＤ式照明装置を提供することである。【解決手段】  発光色が異なるＬＥＤ負荷１１ａ〜１１ｃを点灯するための電源を入力回路１３を介して入力し、入力回路１３から入力される電源の力率を力率改善回路１５で改善し、発光色が異なるＬＥＤ負荷１１ａ〜１１ｃごとに設けられた定電圧回路１２は、力率改善回路１５の出力からそれぞれ発光色が異なるＬＥＤ負荷１１ａ〜１１ｃに電流を個別に供給する。点灯制御回路１８は入力回路１３に入力される電源に含まれた調光信号成分を識別し発光色が異なるＬＥＤ負荷１１ａ〜１１ｃをそれぞれ点灯制御する。【選択図】  図１
2005268000.tif 000002
【特許請求の範囲】
【請求項１】
発光色が異なるＬＥＤを点灯するための電源を入力する入力回路と；
前記入力回路から入力される電源の力率を改善する力率改善回路と；
発光色が異なるＬＥＤごとに設けられ前記力率改善回路の出力からそれぞれ発光色が異なるＬＥＤに供給する電流を個別に得るための定電圧回路と；
前記入力回路に入力される電源に含まれた調光信号成分を識別する入力検出回路と；
前記入力検出回路で識別された調光信号成分に基づいて発光色が異なるＬＥＤをそれぞれ点灯制御する点灯制御回路と；
を備えたことを特徴とするＬＥＤ式照明装置。
【請求項２】
発光色が異なるＬＥＤごとに発光初期値を設定するための設定器を設け、前記点灯制御回路は、前記設定器に設定された発光初期値に基づいて発光色が異なるＬＥＤを点灯制御することを特徴とする請求項１記載のＬＥＤ式照明装置。
【請求項３】
前記入力検出回路で識別された調光信号成分、外部調光信号、調光ボリュームからの調光信号を切り替えて、前記定電圧回路および点灯制御回路に調光信号を出力する切替回路を設けたことを特徴とする請求項１または２記載のＬＥＤ式照明装置。
【請求項４】
前記定電圧回路の立ち上がり時にその出力電圧が設定電圧になったことを監視し、前記定電圧回路の出力電圧が設定電圧になったときに前記点灯制御回路の動作を許可する監視回路を設けたことを特徴とする請求項１乃至請求項４のいずれか一記載のＬＥＤ式照明装置。
【請求項５】
ＬＥＤを点灯するための電源を入力する入力回路と；
前記入力回路から入力される電源の力率を改善する力率改善回路と；
ＬＥＤごとに設けられ前記力率改善回路の出力からＬＥＤに供給する電流を得るための定電圧回路と；
前記入力回路に入力される電源に含まれた調光信号成分を識別する入力検出回路と；
前記入力検出回路で識別された調光信号成分に基づいて発光色が異なるＬＥＤをそれぞれ点灯制御する点灯制御回路と；
前記定電圧回路の立ち上がり時にその出力電圧が設定電圧になったことを監視し、前記定電圧回路の出力電圧が設定電圧になったときに前記点灯制御回路の動作を許可する監視回路と；
を備えたことを特徴とするＬＥＤ式照明装置。
【請求項６】
ＬＥＤを点灯するための電源を入力する入力回路と；
前記入力回路から入力される電源の力率を改善する力率改善回路と；
ＬＥＤごとに設けられ前記力率改善回路の出力からＬＥＤに供給する電流を得るための定電圧回路と；
前記入力回路に入力される電源に含まれた調光信号成分を識別する入力検出回路と；
前記入力検出回路で識別された調光信号成分に基づいて発光色が異なるＬＥＤをそれぞれ点灯制御する点灯制御回路と；
前記入力検出回路で識別された調光信号成分、外部調光信号、調光ボリュームからの調光信号を切り替えて、前記定電圧回路および点灯制御回路に調光信号を出力する切替回路と；
前記定電圧回路の立ち上がり時にその出力電圧が設定電圧になったことを監視し、前記定電圧回路の出力電圧が設定電圧になったときに前記点灯制御回路の動作を許可する監視回路と；
を備えたことを特徴とするＬＥＤ式照明装置。
【発明の詳細な説明】
【技術分野】
【０００１】
本発明は、光源部にＬＥＤを用いたスタジオや劇場で使用されるＬＥＤ式照明装置に関する。
【背景技術】
【０００２】
スタジオや劇場で使用される照明装置は、人物や舞台セットに照明光を当ててそれをカメラで取り込む。照明装置の光源部がハロゲンランプである場合、調光すると色温度が変化してしまうので、同じ白色の発光であっても本来の色とは異なる色となってしまう。このようなことから、調光しても演色性や色温度が変化しない照明の要求がある。
【０００３】
また、ＬＥＤを光源部に用いたＬＥＤ式照明装置がスタジオや劇場で使用される照明装置として開発されている。このようなＬＥＤ式照明装置においては、ＬＥＤ素子のばらつきがあることから、補色用のＬＥＤを設けて演色性や色温度を予め調整しておくことになる。
【０００４】
また、スタジオや舞台でのＬＥＤ式照明装置では、ＬＥＤ式照明装置にサイリスタで位相制御した調光信号成分を含んだ電源を供給するようにしたもの、ＬＥＤ式照明装置に商用電源を供給し外部調光信号を入力してＬＥＤを調光するもの、また、ＬＥＤ式照明装置に付加されている調光ボリュームで直接的にＬＥＤを調光するもの等が採用されている。
【０００５】
ここで、複数色のＬＥＤに対して一つの調整器を用いて様々に照明光の色を変えることができるようにして、操作性を大幅に向上させ、ユーザーが所望の色の照明光を簡単に得ることができるようにしたものがある（例えば、特許文献１参照）。また、ＬＥＤ式照明装置の点灯時に平滑コンデンサの端子間電圧が入力電圧のピークよりも高く、かつ直列接続した発光ダイオードの順方向電圧の総和に等しくなるように設定し、電力損失を小さくして電力変換効率を高めたものがある（特許文献２参照）。
【特許文献１】特開２００２−１６４１８２号公報（図２）。
【特許文献２】特開１１−６７４７１号公報（図１）。
【発明の開示】
【発明が解決しようとする課題】
【０００６】
しかし、主ビームを構成するＬＥＤの定格電流と補色用のＬＥＤの定格電流とは異なるにもかかわらず、主ビームを構成するＬＥＤおよび補色用のＬＥＤには、同じ定電圧回路からＬＥＤ電源を取得するようにしているので、使用電力のロスが大きくなる。主ビームを構成するＬＥＤおよび補色用のＬＥＤに対して、同じ定電圧回路からＬＥＤ電源を取得するようにしているのは、補色用のＬＥＤの数量は少なく、主ビームを構成するＬＥＤの数と比較すると１割程度であることからである。すなわち、定電圧回路は負荷であるＬＥＤに供給する電圧を一定値に保持して、ＬＥＤに流れる電流を調整していることから、定格電流が異なるＬＥＤに対して同じ定電圧回路から電流を供給することは、使用電力のロスを招き好ましくない。
【０００７】
また、ＬＥＤ式照明装置に対して、サイリスタで位相制御した調光信号成分を含んだ電源を供給する場合には、入力段に力率改善回路が用いられるが、ＬＥＤに電力を供給する定電圧回路が力率改善回路よりも速く動作するか、あるいは、入力電圧が低い状態で動作すると、力率改善回路からみた負荷が重くなり、定電圧回路の出力電圧が設定電圧まで上昇しないだけでなく、力率改善回路を構成するトランスのうなりや部品の信頼性の低下となる。
【０００８】
本発明の目的は、調光しても演色性や色温度が変化することなく電力のロスを低減でき、部品の信頼性の向上を図ることができるＬＥＤ式照明装置を提供することである。
【課題を解決するための手段】
【０００９】
請求項１の発明に係わるＬＥＤ式照明装置は、発光色が異なるＬＥＤを点灯するための電源を入力する入力回路と；前記入力回路から入力される電源の力率を改善する力率改善回路と；発光色が異なるＬＥＤごとに設けられ前記力率改善回路の出力からそれぞれ発光色が異なるＬＥＤに供給する電流を個別に得るための定電圧回路と；前記入力回路に入力される電源に含まれた調光信号成分を識別する入力検出回路と；前記入力検出回路で識別された調光信号成分に基づいて発光色が異なるＬＥＤをそれぞれ点灯制御する点灯制御回路と；を備えたことを特徴とする。
【００１０】
本発明および以下の発明において、特に指定しない限り用語の定義および技術的意味は以下による。ＬＥＤ式照明装置は光源としてＬＥＤを用いた照明装置であり、主としてスタジオや舞台の照明に使用される。発光色が異なるＬＥＤとは、主ビームを発光する複数のＬＥＤと主ビームの演色性や色温度の補色用の複数のＬＥＤの双方であり、これらの発光色はそれぞれ異なり定格電流もそれぞれ異なる。例えば、主ビームを発光する複数のＬＥＤは白色ＬＥＤであり、補色用のＬＥＤは、青色ＬＥＤ、緑色ＬＥＤ、赤色ＬＥＤ、黄色ＬＥＤ、橙色ＬＥＤ等である。青色ＬＥＤ、緑色ＬＥＤは色温度を上げるために設けられ、赤色ＬＥＤ、黄色ＬＥＤ、橙色ＬＥＤは色温度を下げるために設けられる。
【００１１】
入力回路は、ＬＥＤ負荷を点灯するための電源を入力するものであり、サイリスタで位相制御された調光信号成分を含んだ電源を入力する。力率改善回路は入力回路から入力される電源の力率を改善するものである。定電圧回路は力率改善回路の出力からそれぞれ発光色や定格電流が異なるＬＥＤに供給する電流を個別に得るものであり、発光色や定格電流が異なるＬＥＤごとに設けられる。入力検出回路は、入力回路に入力される電源に含まれた調光信号成分を識別する。例えば、位相制御された電源の実効値または平均値を検出して調光信号成分を取り出す。点灯制御回路は入力回路に入力される電源に含まれた調光信号成分に基づいて発光色や定格電流が異なるＬＥＤをドライブ回路を介してそれぞれ点灯制御するものである。
【００１２】
本発明によれば、補色用のＬＥＤ負荷を設けているので、調光しても演色性や色温度が変化することなく、また、各々のＬＥＤ負荷ごとに定電圧回路を設けたので、負荷電力のロスを小さくできる。
【００１３】
請求項２の発明に係わるＬＥＤ式照明装置は、請求項１の発明において、発光色が異なるＬＥＤごとに発光初期値を設定するための設定器を設け、前記点灯制御回路は、前記設定器に設定された発光初期値に基づいて発光色が異なるＬＥＤを点灯制御することを特徴とする。
【００１４】
設定器には、発光色が異なるＬＥＤごとに発光初期値が設定される。例えば、主ビームを発光するＬＥＤの発光初期値として１００％、青色や緑色の補色用のＬＥＤの発光初期値として９０％、赤色や黄色や橙色の補色用のＬＥＤの発光初期値として８０％の設定がなされる。点灯制御回路は、主ビームを発光するＬＥＤについては０％〜１００％の範囲で調光制御を行い、青色や緑色の補色用のＬＥＤについては０％〜９０％の範囲で調光制御を行い、赤色や黄色や橙色の補色用のＬＥＤについては０％〜８０％の範囲で調光制御を行う。
【００１５】
本発明によれば、各々の発光色が異なるＬＥＤの調光制御幅を設定できるので、例えば、補色用のＬＥＤによる演色性や色温度の強弱の調整を容易に行える。また、１つの調光信号で発光色が異なる負荷を同じ比率で調光できる。
【００１６】
請求項３の発明に係わるＬＥＤ式照明装置は、請求項１または２の発明において、前記入力検出回路で識別された調光信号成分、外部調光信号、調光ボリュームからの調光信号を切り替えて、前記定電圧回路および点灯制御回路に調光信号を出力する切替回路を設けたことを特徴とする。
【００１７】
切替回路は、入力検出回路で識別された調光信号成分、外部調光信号、調光ボリュームからの調光信号を切り替えて、定電圧回路および点灯制御回路に調光信号を出力するものである。入力回路から入力される電源がサイリスタで位相制御した調光信号成分を含んだ電源だけでなく、商用電源である場合にも適用できる。
【００１８】
本発明によれば、切替回路により調光信号を切り替えることができるので、必要に応じて適切な場所から調光制御ができる。また、入力回路から入力される電源が商用電源である場合であっても調光制御が可能となる。
【００１９】
請求項４の発明に係わるＬＥＤ式照明装置は、請求項１乃至請求項４のいずれか一の発明において、前記定電圧回路の立ち上がり時にその出力電圧が設定電圧になったことを監視し、前記定電圧回路の出力電圧が設定電圧になったときに前記点灯制御回路の動作を許可する監視回路を設けたことを特徴とする。
【００２０】
本発明によれば、監視回路は定電圧回路の出力電圧が設定電圧になったときに点灯制御回路の動作を許可するので、力率改善回路、定電圧回路、ドライブ回路の順序で動作することになり、力率改善回路を構成するトランスのうなりや部品の信頼性の低下を防止できる。
【００２１】
請求項５の発明に係わるＬＥＤ式照明装置は、ＬＥＤを点灯するための電源を入力する入力回路と；前記入力回路から入力される電源の力率を改善する力率改善回路と；ＬＥＤごとに設けられ前記力率改善回路の出力からＬＥＤに供給する電流を得るための定電圧回路と；前記入力回路に入力される電源に含まれた調光信号成分を識別する入力検出回路と；前記入力検出回路で識別された調光信号成分に基づいて発光色が異なるＬＥＤをそれぞれ点灯制御する点灯制御回路と；
前記定電圧回路の立ち上がり時にその出力電圧が設定電圧になったことを監視し、前記定電圧回路の出力電圧が設定電圧になったときに前記点灯制御回路の動作を許可する監視回路と；を備えたことを特徴とする。
【００２２】
本発明によれば、補色用のＬＥＤ負荷を備えていないＬＥＤ式照明装置に対しても監視回路を適用でき、力率改善回路を構成するトランスのうなりや部品の信頼性の低下を防止できる。
【００２３】
請求項６の発明に係わるＬＥＤ式照明装置は、ＬＥＤを点灯するための電源を入力する入力回路と；前記入力回路から入力される電源の力率を改善する力率改善回路と；ＬＥＤごとに設けられ前記力率改善回路の出力からＬＥＤに供給する電流を得るための定電圧回路と；前記入力回路に入力される電源に含まれた調光信号成分を識別する入力検出回路と；前記入力検出回路で識別された調光信号成分に基づいて発光色が異なるＬＥＤをそれぞれ点灯制御する点灯制御回路と；前記入力検出回路で識別された調光信号成分、外部調光信号、調光ボリュームからの調光信号を切り替えて、前記定電圧回路および点灯制御回路に調光信号を出力する切替回路と；前記定電圧回路の立ち上がり時にその出力電圧が設定電圧になったことを監視し、前記定電圧回路の出力電圧が設定電圧になったときに前記点灯制御回路の動作を許可する監視回路と；を備えたことを特徴とする。
【００２４】
本発明によれば、補色用のＬＥＤ負荷を備えていないが切替回路を備えているＬＥＤ式照明装置にも監視回路を適用でき、力率改善回路を構成するトランスのうなりや部品の信頼性の低下を防止できる。
【発明の効果】
【００２５】
請求項１の発明によれば、補色用のＬＥＤ負荷を設けているので、調光しても演色性や色温度が変化することなく、また、各々のＬＥＤ負荷ごとに定電圧回路を設けたので、負荷電力のロスを小さくできる。
【００２６】
請求項２の発明によれば、各々の発光色が異なるＬＥＤの調光制御幅を設定できるので、例えば、補色用のＬＥＤによる演色性や色温度の強弱の調整を容易に行える。また、１つの調光信号で発光色が異なる負荷を同じ比率で調光できる。
【００２７】
請求項３の発明によれば、切替回路により調光信号を切り替えることができるので、必要に応じて適切な場所から調光制御ができる。また、入力回路から入力される電源が商用電源である場合であっても調光制御が可能となる。
【００２８】
請求項４ないし６の発明によれば、ＬＥＤ式照明装置の力率改善回路を構成するトランスのうなりや部品の信頼性の低下を防止できる。
【発明を実施するための最良の形態】
【００２９】
図１は、本発明の第１の実施の形態に係わるＬＥＤ式照明装置の構成図である。ＬＥＤ負荷１１ａは主ビームを発光する複数のＬＥＤであり、白色ＬＥＤで構成されている。また、ＬＥＤ負荷１１ｂ、１１ｃは演色性や色温度の補色用のＬＥＤであり、例えば、ＬＥＤ負荷１１ｂは青色ＬＥＤや緑色ＬＥＤ、ＬＥＤ負荷１１ｃは赤色ＬＥＤ、黄色ＬＥＤ、橙色ＬＥＤである。ＬＥＤ負荷１１ｂは色温度を上げるために設けられ、ＬＥＤ負荷１１ｃは色温度を下げるために設けられている。
【００３０】
定電圧回路１２ａ〜１２ｃは、各々のＬＥＤ負荷１１ａ〜１１ｃごとに設けられ、ＬＥＤ負荷１１ａ〜１１ｃに供給する電圧を一定値に保持して、ＬＥＤ負荷１１ａ〜１１ｃに流れる電流を個別に調整する。
【００３１】
定電圧回路１２ａ〜１２ｃへの電源供給は、入力回路１３で入力した電源を整流回路１４で整流し、力率改善回路１５を介して平滑回路１６で平滑された電源が供給される。入力回路１３から入力される電源は、例えば、サイリスタで位相制御された調光信号成分を含んだ電源である。この入力回路１３から入力された電源は、整流回路１４で整流され力率改善回路１５に入力される。力率改善回路１５は入力回路１３から入力される電源の入力電圧と入力電流とが同相になるように制御し、入力電源の力率を改善する。力率改善回路１５を通して得られた電源は平滑回路１６で平滑され、各々の定電圧回路１２ａ〜１２ｃに供給される。
【００３２】
一方、入力検出回路１７は入力回路１３から入力したサイリスタで位相制御された調光信号成分を含んだ電源を入力し、入力した電源の実効値または平均値を検出して調光信号成分を取り出す。そして、取り出した調光信号成分を定電圧回路１２ａ〜１２ｃおよび点灯制御回路１８に出力する。各々の定電圧回路１２ａ〜１２ｃでは、調光信号成分に基づき出力電圧を調整する。また、点灯制御回路１８は、調光信号成分に基づいて各々のドライブ回路１９ａ〜１９ｃを介してＬＥＤ負荷１１ａ〜１１ｃを点灯制御する。
【００３３】
第１の実施の形態によれば、補色用のＬＥＤ負荷１１ｂ、１１ｃを設けているので、調光しても演色性や色温度が変化することなく、また、各々のＬＥＤ負荷１１ａ〜１１ｃごとに定電圧回路１２ａ〜１２ｃを設けたので、負荷電力のロスを小さくできる。
【００３４】
図２は本発明の第２の実施の形態に係わるＬＥＤ式照明装置の構成図である。この第２の実施の形態は、図１に示した第１の実施の形態に対し、ＬＥＤ負荷１１ａ〜１１ｃごとに発光初期値を設定するための設定器２０を追加して設けたものである。図１と同一要素には同一符号を付し重複する説明は省略する。
【００３５】
点灯制御回路１８は、設定器２０に設定された発光初期値に基づいて各々のＬＥＤ負荷１１ａ〜１１ｃを点灯制御する。例えば、ＬＥＤ負荷１１ａの発光初期値は１００％、ＬＥＤ負荷１１ｂの発光初期値は９０％、ＬＥＤ負荷１１ｃの発光初期値は８０％の設定がなされている場合には、点灯制御回路１８は、ＬＥＤ負荷１１ａについては０％〜１００％の範囲で調光制御を行い、ＬＥＤ負荷１１ｂについては０％〜９０％の範囲で調光制御を行い、ＬＥＤ負荷１１ｃについては０％〜８０％の範囲で調光制御を行う。
【００３６】
第２の実施の形態によれば、各々のＬＥＤ負荷１１ａ〜１１ｂの調光制御幅を設定できるので、例えば、補色用のＬＥＤ負荷１１ｂ、１１ｃによる演色性や色温度の強弱の調整を容易に行える。また、１つの調光信号で各ＬＥＤ負荷１１ａ〜１１ｂを同じ比率で調光できる。
【００３７】
図３は本発明の第３の実施の形態に係わるＬＥＤ式照明装置の構成図である。この第３の実施の形態は、図２に示した第２の実施の形態に対し、入力検出回路１７からの電源に含まれた調光信号成分、外部調光信号、調光ボリューム２２からの調光信号を切り替えて、定電圧回路１２ａ〜１２ｃおよび点灯制御回路１８に調光信号を出力する切替回路２１を設けたものである。図１と同一要素には同一符号を付し重複する説明は省略する。
【００３８】
第３の実施の形態では、入力回路１３から入力される電源がサイリスタで位相制御した調光信号成分を含んだ電源である場合、または商用電源である場合にも適用できる。いま、入力回路１３からサイリスタで位相制御した調光信号成分を含んだ電源が供給されたとする。この状態で切替回路２１により調光ボリューム２２に切り替えられたときは、調光ボリューム２２からの調光信号が定電圧回路１２ａ〜１２ｃおよび点灯制御回路１８に入力される。各々の定電圧回路１２ａ〜１２ｃでは、その調光信号に基づき出力電圧を調整する。また、点灯制御回路１８では、その調光信号に基づいて各々のドライブ回路１９ａ〜１９ｃを介してＬＥＤ負荷１１ａ〜１１ｃを点灯制御する。
【００３９】
一方、切替回路２１により外部調光信号に切り替えられたときは、外部調光信号が定電圧回路１２ａ〜１２ｃおよび点灯制御回路１８に入力される。そして、各々の定電圧回路１２ａ〜１２ｃでは、その外部調光信号に基づき出力電圧を調整し、点灯制御回路１８では、その外部調光信号に基づいて各々のドライブ回路１９ａ〜１９ｃを介してＬＥＤ負荷１１ａ〜１１ｃを点灯制御する。外部調光信号は、例えば調光操作卓から出力される。
【００４０】
以上の説明では、入力回路１３から入力される電源がサイリスタで位相制御した調光信号成分を含んだ電源である場合について説明したが、入力回路１３から入力される電源が商用電源である場合にも同様に適用できる。この場合、切替回路２１で調光ボリューム２２または外部調光信号のいずれかを選択して調光制御することになる。また、第２の実施の形態に対し切替回路２１を設けた場合について説明したが、第１の実施の形態に対し切替回路２１を設けるようにしてもよい。
【００４１】
第３の実施の形態によれば、切替回路２１により調光信号を切り替えることができるので、必要に応じて適切な場所から調光制御ができる。また、入力回路１３から入力される電源が商用電源である場合であっても調光制御が可能となる。
【００４２】
図４は本発明の第４の実施の形態に係わるＬＥＤ式照明装置の構成図である。この第４の実施の形態は、図２に示した第２の実施の形態に対し、定電圧回路１２ａ〜１２ｃの立ち上がり時にその出力電圧が設定電圧になったことを監視し、定電圧回路１２ａ〜１２ｃの出力電圧が設定電圧になったときに点灯制御回路１８の動作を許可する監視回路２３を設けたものである。図１と同一要素には同一符号を付し重複する説明は省略する。
【００４３】
監視回路２３は、ＬＥＤ式照明装置の立ち上がり時に定電圧回路１２ａ〜１２ｃの出力電圧を監視し、定電圧回路１２ａ〜１２ｃの出力電圧が設定電圧になったときに点灯制御回路１８の動作を許可するものである。
【００４４】
ＬＥＤ式照明装置の立ち上がり時には、入力回路１３から電源が入力され整流回路１４で整流され、力率改善回路１５が動作し平滑回路１６で平滑されて定電圧回路１２ａ〜１２ｃに電源が供給される。この場合、定電圧回路１２ａ〜１２ｃの出力電圧が設定電圧になる前にＬＥＤ負荷１１ａ〜１１ｂに負荷電流が供給されるようなことがあると、前述したように、力率改善回路１５からみた負荷が重くなり、定電圧回路１１ａ〜１１ｃの出力電圧が設定電圧まで上昇しないだけでなく、力率改善回路１５を構成するトランスのうなりや部品の信頼性の低下となる。
【００４５】
そこで、監視回路２３は、定電圧回路１２ａ〜１２ｃの出力電圧が設定電圧になったときに点灯制御回路１８の動作を許可する。これにより、力率改善回路１５、定電圧回路１２ａ〜１２ｃ、ドライブ回路１９ａ〜１９ｃの順序で動作することになり、力率改善回路１５を構成するトランスのうなりや部品の信頼性の低下を防止できる。
【００４６】
以上の説明では、第２の実施の形態に監視回路２３を設けた場合について説明したが第１の実施の形態や第３の実施の形態に監視回路２３を設けるようにしてもよい。また、図５に示すように、補色用のＬＥＤ負荷１１ｂ、１１ｃを備えていないＬＥＤ式照明装置に対しても適用できる。さらに、図６に示すように、補色用のＬＥＤ負荷１１ｂ、１１ｃを備えていないが切替回路２１を備えているＬＥＤ式照明装置にも適用できる。
【００４７】
第４の実施の形態によれば、定電圧回路１２ａ〜１２ｃの出力電圧が設定電圧になってから点灯制御回路１８によりドライブ回路１９ａ〜１９ｃを介してＬＥＤ負荷１１ａ〜１１ｃを調光制御するので、力率改善回路１５を構成するトランスのうなりや部品の信頼性の低下を防止できる。
【図面の簡単な説明】
【００４８】
【図１】本発明の第１の実施の形態に係わるＬＥＤ式照明装置の構成図。
【図２】本発明の第２の実施の形態に係わるＬＥＤ式照明装置の構成図。
【図３】本発明の第３の実施の形態に係わるＬＥＤ式照明装置の構成図。
【図４】本発明の第４の実施の形態に係わるＬＥＤ式照明装置の構成図。
【図５】本発明の第４の実施の形態に係わるＬＥＤ式照明装置の他の一例を示す構成図。
【図６】本発明の第４の実施の形態に係わるＬＥＤ式照明装置の別の他の一例を示す構成図。
【符号の説明】
【００４９】
１１…ＬＥＤ負荷、１２…定電圧回路、１３…入力回路、１４…整流回路、１５…力率改善回路、１６…平滑回路、１７…入力検出回路、１８…点灯制御回路、１９…ドライブ回路、２０…設定器、２１…切替回路、２２…調光ボリューム、２３…監視回路
【図１】
2005268000.tif 000003
【図２】
2005268000.tif 000004
【図３】
2005268000.tif 000005
【図４】
2005268000.tif 000006
【図５】
2005268000.tif 000007
【図６】
2005268000.tif 000008